(57)【要約】【課題】表示体が有する意匠性を高めることを可能とした表示体を提供する。【解決手段】光干渉層３５と、光干渉層３５よりも入射光の入射する側に位置し、第１表示領域３４ｂ１を含む第２プリズム面を有したプリズム層３４と、第２プリズム面との界面を形成するとともに、プリズム層３４よりも屈折率が低い空気層３７とを備える。第１表示領域３４ｂ１は、プリズム層３４が広がる平面に対して所定の傾斜角度θで傾く複数の第１傾斜要素ｂ１ｔであって、配列方向ＤＡに沿って並び、かつ、延在方向ＤＥに沿って延びるとともに、平面と対向する平面視において、配列方向ＤＡにおいて互いに隣り合う第１傾斜要素ｂ１ｔが接する複数の第１傾斜要素ｂ１ｔを含む。各第１傾斜要素ｂ１ｔの傾斜角度θが、配列方向ＤＡに沿って一定の角度ずつ大きくなる。【選択図】図４
2018114696.tif 000002
【特許請求の範囲】
【請求項１】
入射光の入射角度に応じた光の干渉によって、前記入射光の一部である所定の波長を有した光を反射する光干渉層と、
光透過性を有するとともに、前記光干渉層に対して前記入射光の入射する側に位置するプリズム層であって、少なくとも１つの表示領域を含む凹凸面を有した前記プリズム層と、
前記凹凸面との界面を有するとともに、前記界面に対して前記入射光の入射する側の屈折率が、前記界面に対して前記光干渉層が位置する側の屈折率よりも高くなるように、前記プリズム層との間で屈折率の差を有する界面層と、を備え、
前記表示領域は、前記プリズム層が広がる平面に対して所定の傾斜角度で傾く複数の傾斜要素であって、複数の前記傾斜要素が配列方向に沿って並び、かつ、前記配列方向と直交する延在方向に沿って延びるとともに、前記平面と対向する平面視において、前記配列方向において互いに隣り合う前記傾斜要素が接する複数の前記傾斜要素を含み、
全ての前記傾斜要素には、前記各傾斜要素の前記傾斜角度が、前記配列方向に沿って一定の角度ずつ大きくなる複数の前記傾斜要素が含まれる
表示体。
【請求項２】
前記凹凸面は、前記配列方向に沿って間隔を空けて並ぶ複数の前記表示領域を含み、
互いに隣り合う前記表示領域間において、前記傾斜要素の前記傾斜角度が、前記配列方向に沿って一定の角度ずつ大きくなる部分を前記各表示領域が含む
請求項１に記載の表示体。
【請求項３】
前記凹凸面は、前記配列方向に沿って並ぶ複数の表示領域を含み、
前記平面と直交するとともに前記延在方向に平行な面が基準面であり、
複数の前記表示領域には、前記平面と直交するとともに前記配列方向に平行な断面において、その表示領域に属する全ての前記傾斜要素が前記基準面に対して第１配列方向に傾いている前記表示領域と、その表示領域に属する全ての前記傾斜要素が前記基準面に対して前記第１配列方向とは逆の方向である第２配列方向に傾いている前記表示領域とが含まれる
請求項１に記載の表示体。
【請求項４】
前記表示領域は、前記配列方向に沿って並ぶ第１部分と第２部分とから構成され、
前記各部分は、複数の前記傾斜要素を含み、
前記平面と直交するとともに前記延在方向に平行な面が基準面であり、
前記平面と直交するとともに前記配列方向に平行な断面において、前記第１部分に属する全ての前記傾斜要素が前記基準面に対して第１配列方向に傾き、前記第２部分に属する全ての前記傾斜要素が前記基準面に対して前記第１配列方向とは逆の方向である第２配列方向に傾いている
請求項１に記載の表示体。
【請求項５】
前記凹凸面は、複数の前記表示領域を含み、
前記各表示領域は、前記各表示領域に固有の前記配列方向を有し、
複数の前記表示領域には、前記配列方向が互いに異なる前記表示領域が含まれる
請求項１に記載の表示体。
【請求項６】
前記凹凸面は、複数の前記表示領域を含み、
複数の前記表示領域には、前記平面と対向する平面視において、第１の面積を有する前記表示領域と、前記第１の面積とは異なる第２の面積を有する前記表示領域とが含まれる
請求項１から５のいずれか一項に記載の表示体。
【請求項７】
入射光の入射角度に応じた光の干渉によって、前記入射光の一部である所定の波長を有した光を反射する光干渉層と、
光透過性を有するとともに、前記光干渉層に対して前記入射光が入射する側に位置するプリズム層であって、前記プリズム層において前記光干渉層と対向する面である対向面と、前記対向面とは反対側の面である反対面とのいずれか一方が、少なくとも１つの表示領域を含む凹凸面であり、前記凹凸面に対して前記入射光の入射する側の屈折率が、前記凹凸面に対して前記光干渉層が位置する側の屈折率よりも高くなるように構成された前記プリズム層と、を備え、
前記表示領域は、三角形状の波形が進行方向に連なる三角波形状を有した断面が１つの方向に連なる形状を有し、各波形の傾きが前記進行方向に沿って一定の角度ずつ大きくなる
表示体。
【発明の詳細な説明】
【技術分野】
【０００１】
本発明は、表示体に関する。
【背景技術】
【０００２】
認証書類、有価証券類、および、紙幣などの各種物品には、物品の偽造が困難であることが求められる。こうした物品の偽造を困難にする技術の一例として、偽造が困難であり、かつ、所定の画像を表示することが可能な要素を物品に付与する技術が用いられている（例えば、特許文献１参照）。
【先行技術文献】
【特許文献】
【０００３】
【特許文献１】特表２００８−５４７０４０号公報
【発明の概要】
【発明が解決しようとする課題】
【０００４】
上述した表示体を解析する技術は、偽造が困難である構成を開発するために発展している。表示体を製造する技術もまた、偽造が困難である構成を具現化するために多様化する一方である。しかしながら、表示体を解析する技術の向上は、表示体の偽造を目的とした表示体の解析を容易なものとし、表示体を製造する技術の多様化もまた、偽造品の製造を容易なものとしている。そこで、表示体を構成する各要素には、従来にも増して、新規な構造が強く望まれており、特に、表示体が有する意匠性を高める技術が求められている。
本発明は、表示体が有する意匠性を高めることを可能とした表示体を提供することを目的とする。
【課題を解決するための手段】
【０００５】
上記課題を解決するための表示体は、入射光の入射角度に応じた光の干渉によって、前記入射光の一部である所定の波長を有した光を反射する光干渉層と、光透過性を有するとともに、前記光干渉層に対して前記入射光の入射する側に位置するプリズム層であって、少なくとも１つの表示領域を含む凹凸面を有した前記プリズム層と、前記凹凸面との界面を有するとともに、前記界面に対して前記入射光の入射する側の屈折率が、前記界面に対して前記光干渉層が位置する側の屈折率よりも高くなるように、前記プリズム層との間で屈折率の差を有する界面層と、を備える。前記表示領域は、前記プリズム層が広がる平面に対して所定の傾斜角度で傾く複数の傾斜要素であって、複数の前記傾斜要素が配列方向に沿って並び、かつ、前記配列方向と直交する延在方向に沿って延びるとともに、前記平面と対向する平面視において、前記配列方向において互いに隣り合う前記傾斜要素が接する複数の前記傾斜要素を含み、全ての前記傾斜要素には、前記各傾斜要素の前記傾斜角度が、前記配列方向に沿って一定の角度ずつ大きくなる複数の前記傾斜要素が含まれる。
【０００６】
上記課題を解決するための表示体は、入射光の入射角度に応じた光の干渉によって、前記入射光の一部である所定の波長を有した光を反射する光干渉層と、光透過性を有するとともに、前記光干渉層に対して前記入射光が入射する側に位置するプリズム層であって、前記プリズム層において前記光干渉層と対向する面である対向面と、前記対向面とは反対側の面である反対面とのいずれか一方が、少なくとも１つの表示領域を含む凹凸面であり、前記凹凸面に対して前記入射光の入射する側の屈折率が、前記凹凸面に対して前記光干渉層が位置する側の屈折率よりも高くなるように構成された前記プリズム層と、を備え、
前記表示領域は、三角形状の波形が進行方向に連なる三角波形状を有した断面が１つの方向に連なる形状を有し、各波形の傾きが前記進行方向に沿って一定の角度ずつ大きくなる。
【０００７】
上記構成によれば、プリズム層から界面層に向けて光が入射するとき、界面に沿って入射光が屈折する入射角度である臨界角を生じさせることができる。しかも、表示領域では、複数の傾斜要素において傾斜角度が連続して変わるため、表示体の広がる平面と観察者の視線方向を含む平面との角度が変わることによって、傾斜要素のうち、入射光の入射角度が臨界角よりも大きい傾斜要素と、入射光の入射角度が臨界角よりも小さい傾斜要素との境界が、配列方向において連続的に変わる。これにより、表示領域において、光干渉層にて反射した光を透過する部分と、光干渉層にて反射した光を透過しない部分との境界が連続的に変わるため、表示体の意匠性を高めることができる。
【０００８】
上記表示体において、前記凹凸面は、前記配列方向に沿って間隔を空けて並ぶ複数の前記表示領域を含み、互いに隣り合う前記表示領域間において、前記傾斜要素の前記傾斜角度が、前記配列方向に沿って一定の角度ずつ大きくなる部分を前記各表示領域が含んでもよい。
【０００９】
上記構成によれば、表示体の広がる平面と観察者の視線方向を含む平面との角度が変わることによって、配列方向において互いに隣り合う表示領域間において、光干渉層にて反射した光を透過する部分と、光干渉層にて反射した光を透過しない部分との境界を連続的に変えることができる。これにより、表示体の意匠性を高めることができる。
【００１０】
上記表示体において、前記凹凸面は、前記配列方向に沿って並ぶ複数の表示領域を含み、前記平面と直交するとともに前記延在方向に平行な面が基準面であり、複数の前記表示領域には、前記平面と直交するとともに前記配列方向に平行な断面において、その表示領域に属する全ての前記傾斜要素が前記基準面に対して第１配列方向に傾いている前記表示領域と、その表示領域に属する全ての前記傾斜要素が前記基準面に対して前記第１配列方向とは逆の方向である第２配列方向に傾いている前記表示領域とが含まれてもよい。
【００１１】
上記構成によれば、視線方向を含む平面が、表示体が広がる平面に対して垂直以外の角度で交差するとき、傾斜要素の傾く方向が同じである構成と比べて、傾斜要素の傾く方向が互いに異なる表示領域の間では、各傾斜要素への入射光であって、観察者が視認することのできる光の入射角度を大きく異ならせることが可能である。
【００１２】
上記表示体において、前記表示領域は、前記配列方向に沿って並ぶ第１部分と第２部分とから構成され、前記各部分は、複数の前記傾斜要素を含み、前記平面と直交するとともに前記延在方向に平行な面が基準面であり、前記平面と直交するとともに前記配列方向に平行な断面において、前記第１部分に属する全ての前記傾斜要素が前記基準面に対して第１配列方向に傾き、前記第２部分に属する全ての前記傾斜要素が前記基準面に対して前記第１配列方向とは逆の方向である第２配列方向に傾いていてもよい。
【００１３】
上記構成によれば、第１部分における傾斜要素の傾く方向は、第２部分における傾斜要素の傾く方向とは逆の方向である。そのため、視線方向を含む平面が、表示体が広がる平面に対して垂直以外の角度で交差するとき、傾斜要素の傾く方向が同じである構成と比べて、各傾斜要素への入射光であって、観察者が視認することのできる光の入射角度を大きく異ならせることが可能である。それゆえに、１つの表示領域が形成する画像において、状態の異なる２つの部分を形成することができ、ひいては、表示体の意匠性を高めることができる。
【００１４】
上記表示体において、前記凹凸面は、複数の前記表示領域を含み、前記各表示領域は、前記各表示領域に固有の前記配列方向を有し、複数の前記表示領域には、前記配列方向が互いに異なる前記表示領域が含まれてもよい。
【００１５】
上記構成によれば、表示体の広がる平面と視線方向を含む平面との角度を変えたときに、入射角度が臨界角よりも大きい傾斜要素と、入射角度が臨界角よりも小さい傾斜要素との境界が連続的に変わる状態を、配列方向が互いに異なる表示領域間で変えることができる。それゆえに、全ての表示領域において配列方向が同じである構成と比べて、表示体の意匠性を高めることができる。
【００１６】
上記表示体において、前記凹凸面は、複数の前記表示領域を含み、複数の前記表示領域には、前記平面と対向する平面視において、第１の面積を有する前記表示領域と、前記第１の面積とは異なる第２の面積を有する前記表示領域とが含まれてもよい。
【００１７】
上記構成によれば、第１の面積を有する表示領域と第２の面積を有する表示領域との間では、各表示領域が有する面積の違いによって、各表示領域の全体から射出される光の光量を異ならせることができる。そのため、全ての表示領域が同じ大きさを有する構成と比べて、表示体の広がる平面と視線方向を含む平面との角度を変えたときに、表示領域から射出される光量の違いによって、表示体の意匠性を高めることができる。
【発明の効果】
【００１８】
本発明によれば、表示体が有する意匠性を高めることができる。
【図面の簡単な説明】
【００１９】
【図１】表示体を具体化した一実施形態における表示体の平面構造を示す平面図。
【図２】図１におけるＩ−Ｉ線に沿う断面構造を示す断面図。
【図３】図１におけるＩＩ−ＩＩ線に沿う断面構造を示す断面図。
【図４】一実施形態における第１表示領域とその周辺構造の断面構造を拡大して示す部分拡大断面図。
【図５】一実施形態における第３表示領域とその周辺構造の断面構造を拡大して示す部分拡大断面図。
【図６】一実施形態における第２表示領域とその周辺構造の断面構造を拡大して示す部分拡大断面図。
【図７】一実施形態におけるプリズム層、印刷層、および、光干渉層の断面構造を拡大して示す拡大断面図。
【図８】表示体において用いた原理を説明するための模式図。
【図９】一実施形態の表示体を第１観察点から見たときに各表示領域に入射する光の光路を説明するための光路図。
【図１０】一実施形態の表示体を第２観察点から見たときに各表示領域に入射する光の光路を説明するための光路図。
【図１１】一実施形態の表示体を第３観察点から見たときに各表示領域に入射する光の光路を説明するための光路図。
【図１２】一実施形態の表示体を第１観察点から見たときの表示体の作用を説明するための作用図。
【図１３】一実施形態の表示体を第２観察点から見たときの表示体の作用を説明するための作用図。
【図１４】一実施形態の表示体を第３観察点から見たときの表示体の作用を説明するための作用図。
【図１５】第１変形例が備える表示領域の平面構造を示す平面図。
【図１６】第２変形例が備える表示領域の平面構造を示す平面図。
【図１７】第３変形例が備える表示領域の平面構造を示す平面図。
【図１８】第４変形例の表示体における平面構造を示す平面図。
【発明を実施するための形態】
【００２０】
図１から図１４を参照して、表示体を具体化した一実施形態を説明する。以下では、表示体の構成、プリズム層の形状、プリズム層における傾斜要素の角度、表示体の作用、表示体の製造方法、および、実施例を順に説明する。
【００２１】
［表示体の全体構成］
図１から図３を参照して表示体の全体構成を説明する。
図１が示すように、表示体１０は矩形板状を有し、表示体１０は、例えば表示体１０を所有する個人を認証するためのＩＤカードである。表示体１０は、表示体１０の表面１０ａと対向する平面視において、１つの方向に沿って間隔を空けて並ぶ第１画像１１、第２画像１２、および、第３画像１３を表示することが可能に構成されている。第１画像１１、第２画像１２、および、第３画像１３は、それぞれ所定の形状を有していればよい。第１画像１１および第３画像１３は星形状を有し、第２画像１２は、八分音符を表現する形状を有している。また、表示体１０は、第１画像１１、第２画像１２、および、第３画像１３が並ぶ方向に沿って延びる帯状を有し、かつ、第１画像１１、第２画像１２、および、第３画像１３を取り囲む第４画像１４を表示することが可能に構成されている。
【００２２】
表示体１０は、第１情報２１および第２情報２２を含んでいる。第１情報２１および第２情報２２は、例えば文字および数字などから構成されていればよく、第１情報２１および第２情報２２は、それぞれ複数のアルファベットから構成されている。
【００２３】
図２は、図１におけるＩ−Ｉ線に沿う表示体１０の断面構造を示し、図３は、図１におけるＩＩ−ＩＩ線に沿う表示体１０の断面構造を示している。
図２が示すように、Ｉ−Ｉ線に沿う断面において、表示体１０は、基材３１、印刷層３２、接着層３３、および、プリズム層３４を備えている。印刷層３２は、基材３１におけるプリズム層３４と対向する第１基材面３１ａの一部に位置している。印刷層３２は、上述した第２情報２２を含んでいる。なお、図２では、図示の便宜上、印刷層３２を１つの層で表現している。
【００２４】
プリズム層３４は、表示体１０の表面１０ａである第１プリズム面３４ａと、第１プリズム面３４ａとは反対側の面である第２プリズム面３４ｂとを含んでいる。第１プリズム面３４ａは、その全体がほぼ平坦な面であり、第２プリズム面３４ｂのなかで、ＩＩ−ＩＩ線に沿う断面に含まれる部分は、ほぼ平坦な面である。接着層３３は、基材３１の第１基材面３１ａと、プリズム層３４の第２プリズム面３４ｂとの間を埋めることによって、基材３１とプリズム層３４とを接着している。
【００２５】
表示体１０は、１つの平面に沿って広がる形状を有し、表示体１０に含まれるプリズム層３４も表示体１０が広がる平面と同じ平面に沿って広がる形状を有している。プリズム層３４が広がる平面は、プリズム層３４の第１プリズム面３４ａ、すなわち表示体１０の表面１０ａとほぼ平行であると見なすことが可能である。
【００２６】
なお、表示体１０において、第１情報２１を含む部分における表示体１０の厚さ方向に沿う断面構造は、Ｉ−Ｉ線に沿う断面構造と同等の層構成を有している。
【００２７】
図３が示すように、ＩＩ−ＩＩ線に沿う断面において、表示体１０は、基材３１、光干渉層３５、印刷層３６、および、プリズム層３４を備えている。プリズム層３４の第２プリズム面３４ｂは凹凸面の一例であり、第２プリズム面３４ｂは、第１表示領域３４ｂ１、第２表示領域３４ｂ２、および、第３表示領域３４ｂ３を含んでいる。プリズム層３４において、第２プリズム面３４ｂが光干渉層３５と対向する対向面の一例であり、第１プリズム面３４ａが対向面とは反対側の面である反対面の一例である。プリズム層３４では、対向面と反対面とのいずれか一方が上述した凹凸面である。
【００２８】
ＩＩ−ＩＩ線に沿う断面、すなわち表示体１０の厚さ方向に沿う断面において、各表示領域を含む部分は鋸歯状を有している。なお、図３では、図示の便宜上、各表示領域をドットで示している。
【００２９】
第１プリズム面３４ａと対向する平面視において、第１表示領域３４ｂ１は第１画像１１が表示される部位に位置し、第２表示領域３４ｂ２は第２画像１２が表示される部位に位置し、第３表示領域３４ｂ３は第３画像１３が表示される部位に位置している。すなわち、第１表示領域３４ｂ１は第１画像１１を表示するための領域であり、第２表示領域３４ｂ２は第２画像１２を表示するための領域であり、第３表示領域３４ｂ３は第３画像１３を表示するための領域である。
【００３０】
光干渉層３５は、ＩＩ−ＩＩ線に沿う断面において、基材３１の第１基材面３１ａの全体に位置している。なお、光干渉層３５は、第１プリズム面３４ａと対向する平面視において、第１表示領域３４ｂ１、および、第３表示領域３４ｂ３にそれぞれ重なる位置に少なくとも位置していればよく、そのため、基材３１の第１基材面３１ａの全体に位置してもよい。
【００３１】
光干渉層３５は、入射光の入射角度に応じた光の干渉によって、入射光の一部である所定の波長を有した光を反射する。言い換えれば、光干渉層３５は、光干渉層３５に対してプリズム層３４が位置する側から入射した光を反射するとともに、光干渉層３５において反射する光を干渉させることによって、所定の波長を有した光を反射光として射出する。光干渉層３５は、コレステリック液晶層、および、多層干渉構造体のいずれかであればよい。
【００３２】
印刷層３６は、光干渉層３５におけるプリズム層３４と対向する第１光干渉面３５ａのなかで、第２プリズム面３４ｂにおける第２表示領域３４ｂ２と重なる部位に位置している。なお、図３では、図示の便宜上、印刷層３６を１つの層によって表現している。
【００３３】
ＩＩ−ＩＩ線に沿う断面において、光干渉層３５の第１光干渉面３５ａと、プリズム層３４の第２プリズム面３４ｂとの間には、Ｉ−Ｉ線に沿う断面とは異なり、接着層３３が位置していない。そのため、光干渉層３５の第１光干渉面３５ａと、プリズム層３４の第２プリズム面３４ｂとの間には、空気層３７が位置している。空気層３７は、プリズム層３４の第２プリズム面３４ｂとの界面を有する界面層の一例である。
【００３４】
なお、第１光干渉面３５ａと第２プリズム面３４ｂとの間のうち、第１表示領域３４ｂ１、第２表示領域３４ｂ２、および、第３表示領域３４ｂ３を除く部分には、接着層３３が位置してもよい。
【００３５】
こうした表示体１０において、プリズム層３４に対して光干渉層３５とは反対側が光の入射する側であり、かつ、観察者の観察する側である。
【００３６】
［プリズム層の形状］
図４から図７を参照して、プリズム層３４、光干渉層３５、印刷層３６、および、空気層３７をより詳しく説明する。図４は、光干渉層３５および空気層３７のなかで、表示体１０の厚さ方向において、第１表示領域３４ｂ１と重なる部分のみを示している。図５は、光干渉層３５および空気層３７のなかで、表示体１０の厚さ方向において、第３表示領域３４ｂ３と重なる領域のみを示している。図６は、光干渉層３５、印刷層３６、および、空気層３７のなかで、表示体１０の厚さ方向において、第２表示領域３４ｂ２と重なる部分のみを示している。なお、図４から図７では、プリズム層３４の形状を認識しやすくする便宜上、プリズム層３４におけるハッチングを省略している。
【００３７】
図４が示すように、第１表示領域３４ｂ１は、プリズム層３４が広がる平面に対して所定の傾斜角度θで傾く複数の第１傾斜要素ｂ１ｔを含む凹凸面である。複数の第１傾斜要素ｂ１ｔは配列方向ＤＡに沿って並び、かつ、配列方向ＤＡと直交する延在方向ＤＥに沿って延びている。プリズム層３４が広がる平面と対向する平面視において、配列方向ＤＡにおいて互いに隣り合う第１傾斜要素ｂ１ｔが接している。
【００３８】
第１表示領域３４ｂ１に含まれる全ての第１傾斜要素ｂ１ｔにおいて、各第１傾斜要素ｂ１ｔの傾斜角度θが、配列方向ＤＡに沿って一定の角度ずつ大きくなる。第１表示領域３４ｂ１では、配列方向ＤＡに沿い、かつ、紙面の右から左に向かう方向に沿って、各第１傾斜要素ｂ１ｔの傾斜角度θが大きくなる。配列方向ＤＡにおいて互いに隣り合う第１傾斜要素ｂ１ｔ間での傾斜角度θの差は、２°以下であることが好ましい。
【００３９】
言い換えれば、第１表示領域３４ｂ１は、三角形状の波形が進行方向に連なる三角波形状を有した断面が１つの方向に連なる形状を有し、各波形の傾きが進行方向に沿って一定の角度ずつ大きくなる。
【００４０】
プリズム層３４が広がる平面と直交するとともに、延在方向ＤＥに平行な面が基準面ＲＰである。第１表示領域３４ｂ１では、プリズム層３４と直交するとともに配列方向ＤＡに平行な断面、言い換えれば上述したＩＩ−ＩＩ線に沿う断面において、第１表示領域３４ｂ１に属する全ての第１傾斜要素ｂ１ｔが、基準面ＲＰに対して第１配列方向ＤＡ１に傾いている。具体的には、全ての第１傾斜要素ｂ１ｔが、紙面の右から左に向かう方向に傾いている。
【００４１】
プリズム層３４の厚さ方向において、各第１傾斜要素ｂ１ｔにおける第１プリズム面３４ａからの距離が小さい端部が基端部ｂ１ｔ１であり、第１プリズム面３４ａからの距離が大きい端部が先端部ｂ１ｔ２である。複数の第１傾斜要素ｂ１ｔにおいて、プリズム層３４の厚さ方向における基端部ｂ１ｔ１の位置が互いに等しく、かつ、先端部ｂ１ｔ２の位置が互いに等しいことが好ましい。
【００４２】
言い換えれば、プリズム層３４は互いに異なる第１傾斜要素ｂ１ｔを１つずつ含む複数の凸部３４ｃを有し、プリズム層３４の厚さ方向において、凸部３４ｃの高さは互いに等しいことが好ましい。そのため、第１プリズム面３４ａと対向する平面視において配列方向ＤＡに沿う第１傾斜要素ｂ１ｔの幅、言い換えれば、各凸部３４ｃにおける配列方向ＤＡに沿う幅は、第１傾斜要素ｂ１ｔの傾斜角度θが大きくなるほど小さくなる。
【００４３】
図５が示すように、第３表示領域３４ｂ３は、第１表示領域３４ｂ１と同様、プリズム層３４が広がる平面に対して所定の傾斜角度θで傾く第３傾斜要素ｂ３ｔを含む凹凸面である。複数の第３傾斜要素ｂ３ｔは配列方向ＤＡに沿って並び、かつ、延在方向ＤＥに沿って延びている。プリズム層３４が広がる平面と対向する平面視において、配列方向ＤＡにおいて互いに隣り合う第３傾斜要素ｂ３ｔが接している。
【００４４】
第３表示領域３４ｂ３に含まれる全ての第３傾斜要素ｂ３ｔにおいて、各第３傾斜要素ｂ３ｔの傾斜角度θが、配列方向ＤＡに沿って一定の角度ずつ大きくなる。第３表示領域３４ｂ３では、配列方向ＤＡに沿い、かつ、紙面の左から右に向かう方向に沿って、各第３傾斜要素ｂ３ｔの傾斜角度θが大きくなる。第３傾斜要素ｂ３ｔ間での傾斜角度θの差は、２°以下であることが好ましく、第１表示領域３４ｂ１における第１傾斜要素ｂ１ｔ間での傾斜角度θの差と同じ大きさであることが好ましい。
【００４５】
言い換えれば、第３表示領域３４ｂ３は、三角形状の波形が進行方向に連なる三角波形状を有した断面が１つの方向に連なる形状を有し、各波形の傾きが進行方向に沿って一定の角度ずつ大きくなる。
【００４６】
第３表示領域３４ｂ３では、ＩＩ−ＩＩ線に沿う断面において、第３表示領域３４ｂ３に属する全ての第３傾斜要素ｂ３ｔが、基準面ＲＰに対して第１配列方向ＤＡ１とは逆の方向である第２配列方向ＤＡ２に傾いている。上述した配列方向ＤＡは、第１配列方向ＤＡ１と第２配列方向ＤＡ２とから構成されている。具体的には、全ての第３傾斜要素ｂ３ｔが、紙面の左から右に向かう方向に傾いている。しかも、第３表示領域３４ｂ３は、基準面ＲＰを対称面とするとき、第１表示領域３４ｂ１と面対称の関係を有している。すなわち、第３表示領域３４ｂ３の左右を反転させた形状が、第１表示領域３４ｂ１と重なる形状である。
【００４７】
なお、第３表示領域３４ｂ３においても、第１表示領域３４ｂ１と同様、複数の第３傾斜要素ｂ３ｔにおいて、プリズム層３４の厚さ方向における基端部ｂ３ｔ１の位置が互いに等しく、かつ、先端部ｂ３ｔ２の位置が互いに等しいことが好ましい。言い換えれば、各凸部３４ｃの高さは互いに等しいことが好ましい。そのため、第１プリズム面３４ａと対向する平面視において、配列方向ＤＡに沿う第３傾斜要素ｂ３ｔの幅、言い換えれば、各凸部３４ｃにおける配列方向ＤＡに沿う幅は、第３傾斜要素ｂ３ｔの傾斜角度θが大きくなるほど小さくなる。
【００４８】
こうした構成では、観察者の視線方向を含む平面が、表示体１０が広がる平面に対して垂直以外の角度で交差するとき、第１表示領域３４ｂ１と第３表示領域３４ｂ３との間では、各傾斜要素への入射光であって、観察者が視認することのできる光の入射角度を大きく異ならせることが可能である。
【００４９】
図６が示すように、第２表示領域３４ｂ２は、第１表示領域３４ｂ１と同様、プリズム層３４が広がる平面に対して所定の傾斜角度θで傾く第２傾斜要素ｂ２ｔを含む凹凸面である。複数の第２傾斜要素ｂ２ｔは配列方向ＤＡに沿って並び、かつ、延在方向ＤＥに沿って延びている。プリズム層３４が広がる平面と対向する平面視において、配列方向ＤＡにおいて互いに隣り合う第２傾斜要素ｂ２ｔが接している。
【００５０】
第２表示領域３４ｂ２は、配列方向ＤＡに沿って並ぶ第１部分ｂ２１と第２部分ｂ２２とから構成されている。第１部分ｂ２１および第２部分ｂ２２の各々は、複数の第２傾斜要素ｂ２ｔを含んでいる。第２表示領域３４ｂ２では、ＩＩ−ＩＩ線に沿う断面において、第１部分ｂ２１に属する全ての第２傾斜要素ｂ２ｔが基準面ＲＰに対して第１配列方向ＤＡ１に傾き、第２部分ｂ２２に属する全ての第２傾斜要素ｂ２ｔが基準面ＲＰに対して第１配列方向ＤＡ１とは逆の方向である第２配列方向ＤＡ２に傾いている。
【００５１】
言い換えれば、第１部分ｂ２１および第２部分ｂ２２の各々は、三角形状の波形が進行方向に連なる三角波形状を有した断面が１つの方向に連なる形状を有し、各波形の傾きが進行方向に沿って一定の角度ずつ大きくなる。
【００５２】
具体的には、第１部分ｂ２１に属する全ての第２傾斜要素ｂ２ｔが、紙面の右から左に向かう方向に傾く一方で、第２部分ｂ２２に属する全ての第２傾斜要素ｂ２ｔが、紙面の左から右に向かう方向に傾いている。しかも、第１部分ｂ２１は、基準面ＲＰを対称面とするとき、第２部分ｂ２２と面対称の関係を有している。すなわち、第１部分ｂ２１の左右を反転させた形状が、第２部分ｂ２２と重なる形状である。
【００５３】
なお、第２表示領域３４ｂ２においても、第１表示領域３４ｂ１と同様、複数の第２傾斜要素ｂ２ｔにおいて、プリズム層３４の厚さ方向における基端部ｂ２ｔ１の位置が互いに等しく、かつ、先端部ｂ２ｔ２の位置が互いに等しいことが好ましい。言い換えれば、各凸部３４ｃの高さは互いに等しいことが好ましい。そのため、第１プリズム面３４ａと対向する平面視において、配列方向ＤＡに沿う第２傾斜要素ｂ２ｔの幅、言い換えれば、各凸部３４ｃにおける配列方向ＤＡに沿う幅は、第２傾斜要素ｂ２ｔの傾斜角度θが大きくなるほど小さくなる。
【００５４】
こうした第２表示領域３４ｂ２によれば、視線方向を含む平面が、表示体１０が広がる平面に対して垂直以外の角度で交差するとき、第２傾斜要素の傾く方向が同じである構成と比べて、各第２傾斜要素ｂ２ｔへの入射光であって、観察者が視認することのできる光の入射角度を大きく異ならせることが可能である。それゆえに、１つの第２表示領域３４ｂ２が形成する画像において、状態の異なる２つの部分を形成することができ、ひいては、表示体１０の意匠性を高めることができる。
【００５５】
図７が示すように、プリズム層３４は、光干渉層３５よりも入射光ＩＬの入射する側に位置している。プリズム層３４は、上述したように、３つの表示領域を含む第２プリズム面３４ｂを有している。プリズム層３４は光透過性を有し、プリズム層３４の形成材料には、各種の樹脂を用いることができる。
【００５６】
空気層３７は、第２プリズム面３４ｂとの界面を形成するとともに、界面に対して入射光の入射する側の屈折率が、界面に対して光干渉層３５が位置する側の屈折率よりも高くなるように、プリズム層３４との間で屈折率差を形成する。
【００５７】
空気層３７は空気によって形成される層であるため、空気層３７の屈折率は１である。これに対して、プリズム層３４は上述したように各種の樹脂で形成される層であるため、プリズム層３４の屈折率は、１．３以上１．８以下の範囲に含まれる。それゆえに、空気層３７によれば、第２プリズム面３４ｂとの界面よりも光の入射する側、言い換えればプリズム層３４の屈折率が、界面よりも光干渉層３５側、言い換えれば空気層３７の屈折率よりも高くなる。すなわち、プリズム層３４は、第２プリズム面３４ｂに対して入射光の入射する側の屈折率が、第２プリズム面３４ｂに対して光干渉層３５が位置する側の屈折率よりも高くなるように構成されている。
【００５８】
プリズム層３４の第２プリズム面３４ｂは、配列方向ＤＡに沿って間隔を空けて並ぶ複数の表示領域を含んでいる。すなわち、上述したように、第２プリズム面３４ｂは、配列方向ＤＡに沿って間隔を空けて並ぶ第１表示領域３４ｂ１、第２表示領域３４ｂ２、および、第３表示領域３４ｂ３を含んでいる。これら３つの表示領域では、互いに隣り合う表示領域間において、傾斜要素の傾斜角度θが、配列方向ＤＡに沿って一定の角度ずつ大きくなる部分を各表示領域が含んでいる。
【００５９】
より詳しくは、配列方向ＤＡにおいて、第１表示領域３４ｂ１と、第２表示領域３４ｂ２の第１部分ｂ２１とが互いに隣り合っている。上述したように、第２表示領域３４ｂ２の第１部分ｂ２１に属する複数の第２傾斜要素ｂ２ｔの間、および、第１表示領域３４ｂ１に属する複数の第１傾斜要素ｂ１ｔの間では、各傾斜要素の傾斜角度θが一定の角度ずつ変わる。また、配列方向ＤＡにおいて、最も第１表示領域３４ｂ１寄りの第２傾斜要素ｂ２ｔにおける傾斜角度θと、最も第２表示領域３４ｂ２寄りの第１傾斜要素ｂ１ｔにおける傾斜角度θとの差は、各表示領域内において、互いに隣り合う傾斜要素間での傾斜角度θの差と等しい。
【００６０】
また、上述したように、第２表示領域３４ｂ２の第２部分ｂ２２に属する複数の第２傾斜要素ｂ２ｔの間、および、第３表示領域３４ｂ３に属する複数の第３傾斜要素ｂ３ｔの間では、各傾斜要素の傾斜角度θが一定の角度ずつ変わる。また、配列方向ＤＡにおいて、最も第３表示領域３４ｂ３寄りの第２傾斜要素ｂ２ｔにおける傾斜角度θと、最も第２表示領域３４ｂ２寄りの第３傾斜要素ｂ３ｔにおける傾斜角度θとの差は、各表示領域内において、互いに隣り合う傾斜要素間での傾斜角度θの差に等しい。
【００６１】
なお、プリズム層３４の第２プリズム面３４ｂは、第２プリズム面３４ｂに入射した光を集光する機能を有した部分を複数含んでもよい。こうした構成を用いることによって、臨界角を超えた入射角を有した入射光を全反射する領域では、光が散乱して光を集光する機能が発現されない一方で、臨界角未満の入射角を有した入射光を透過する領域では、入射光を集光する機能が発現される。
【００６２】
また、プリズム層３４は、上述したプリズム層３４を第１の層として備え、かつ、空気層３７との界面において、第１の層の第２プリズム面３４ｂに沿う形状を有した第２の層を有してもよい。この場合には、第２の層の屈折率と、第１の層の屈折率、および、空気層３７の屈折率との差は、±０．２以内であることが好ましく、±０．１以内であることがより好ましい。
【００６３】
２つの層間において、屈折率の差がこうした範囲に含まれることによって、第１の層と第２の層との界面、および、空気層３７と第２の層との界面において、光の反射を抑えることができる。こうした第２の層は、第１の層の耐性を高める機能や、第１の層における凹凸形状を補正する機能を有することが好ましい。なお、第２の層は、ドライコーティング法やウエットコーティング法などを用いて第１の層に形成されればよい。
【００６４】
［各傾斜要素の角度］
図８から図１１を参照して、プリズム層３４における各傾斜要素の角度を説明する。なお、以下では、各傾斜要素の角度の説明に先立ち、表示体１０において用いた原理を説明する。
【００６５】
［表示体において用いた原理］
図８を用いて表示体１０において用いた原理を説明する。
図８が示すように、第１媒質ｉと第２媒質ｔとは水平な界面ＩＦを有し、第１媒質ｉの屈折率は第１屈折率ｎｉであり、第２媒質ｔの屈折率は、第２屈折率ｎｔである。こうした構成において、臨界角θｃは、スネルの法則と屈折率の定義とから、以下に示す式１によって求めることができる。
ｓｉｎθｃ  ＝  ｎｔ／ｎｉ  …  （式１）
【００６６】
界面ＩＦに臨界角θｃで入射する第１入射光ＩＬ１では、界面ＩＦにおける屈折角θｔが９０°である、言い換えれば、第１入射光ＩＬ１は、第１媒質ｉと第２媒質ｔの界面ＩＦに沿って屈折する屈折光ＲＬ１として射出される。臨界角θｃよりも大きい角度で界面ＩＦに入射する第２入射光ＩＬ２は、界面ＩＦにて全反射することによって、反射光ＲＬ２として射出される。臨界角θｃよりも小さい角度で界面ＩＦに入射する入射光は、界面ＩＦにおいてスネルの法則に従った屈折角で屈折して界面ＩＦを透過する。
【００６７】
なお、界面ＩＦにおける反射波の強度は、入射光の入射角に応じて変化する。入射光の入射角が臨界角θｃよりも小さい範囲では、入射光の入射角が臨界角θｃに向けて大きくなるほど、第２媒質ｔに透過する屈折波の経路が界面ＩＦに沿う方向に近付き、かつ、屈折波の強度が低くなる。これに対して、入射光の入射角が臨界角θｃよりも小さい範囲では、入射光の入射角が臨界角θｃに向けて大きくなるほど、反射波の強度は高くなり、入射角が臨界角θｃを超えると、入射光の全てが界面ＩＦにて反射する。
【００６８】
また、上述したプリズム層３４を有する構成では、プリズム層３４と空気層３７との界面において全反射した光では、さらに、プリズム層３４が有する凸部３４ｃやプリズム層３４の表面における反射、透過、および、屈折を繰り返すことによって、その強度が低くなる。そのため、上述した全反射は、プリズム層３４と空気層３７との界面での全反射のみを意味する場合もあるし、全反射後における反射、透過、屈折、および、散乱によって光の強度が低くなることを含む場合もある。なお、プリズム層３４と空気層３７との界面における多重の反射、透過、および、屈折は、複数の方向への光の散乱と捉えることができるため、こうした散乱を目的としてプリズム層３４の形状を設計してもよい。
【００６９】
なお、臨界角θｃを超える入射角において全反射が生じるためには、第２屈折率ｎｔよりも第１屈折率ｎｉが大きいことが必要条件である。つまり、屈折率が異なる第１媒質ｉと第２媒質ｔとの界面ＩＦでは、第１媒質ｉから第２媒質ｔに入射する光は、臨界角θｃを超える入射角において全反射する。これに対して、第２媒質ｔから第１媒質ｉに入射する光の入射角には、臨界角θｃが存在しない。
【００７０】
［傾斜要素の傾斜角度］
図９から図１１を参照して、傾斜要素の傾斜角度θを説明する。なお、図９から図１１では、図示の便宜上、第１表示領域３４ｂ１に含まれる第１傾斜要素ｂ１ｔの一部のみが示され、第３表示領域３４ｂ３に含まれる第３傾斜要素ｂ３ｔの一部のみが示されている。また、図９から図１１では、光干渉層３５のうち、第２表示領域３４ｂ２と対向する部位に位置する印刷層３６の図示が省略されている。
【００７１】
［第１観察点］
図９が示すように、観察者ＯＢが第１観察点から表示体１０を観察しているとき、表示体１０の表面１０ａと、観察者ＯＢの視線方向ＥＬを含む第１平面とは、垂直に交わっている。このとき、全ての第２傾斜要素ｂ２ｔに対して、臨界角θｃよりも小さい入射角度で入射光が入射する。そのため、各第２傾斜要素ｂ２ｔに入射した入射光の少なくとも一部は、空気層３７を透過して光干渉層３５に到達する。それゆえに、観察者ＯＢは、光干渉層３５から射出された反射光であって、第２表示領域３４ｂ２を透過した光を視認することができる。
【００７２】
これに対して、全ての第１傾斜要素ｂ１ｔ、および、全ての第３傾斜要素ｂ３ｔに対して、臨界角θｃよりも大きい入射角度で入射光が入射する。そのため、第１傾斜要素ｂ１ｔおよび第３傾斜要素ｂ３ｔに入射した光は、各傾斜要素にて全反射され、また、プリズム層３４の内部において多重反射して、プリズム層３４から観察者ＯＢに向けて射出される。そのため、観察者ＯＢは、光干渉層３５から射出された反射光であって、かつ、第１表示領域３４ｂ１または第３表示領域３４ｂ３を透過した光を視認することができない。
【００７３】
このように、第１観察点から観察されたとき、第２傾斜要素ｂ２ｔには臨界角θｃよりも小さい角度で光が入射し、第１傾斜要素ｂ１ｔおよび第３傾斜要素ｂ３ｔには臨界角θｃよりも大きい角度で光が入射するような範囲で、各傾斜要素における傾斜角度が配列方向ＤＡに沿って連続的に変化するように表示体１０は構成されている。
【００７４】
［第２観察点］
図１０が示すように、観察者ＯＢが第２観察点から表示体１０を観察しているとき、表示体１０の表面１０ａと、観察者ＯＢの視線方向ＥＬを含む第２平面との形成する角度は、４５°である。
【００７５】
このとき、全ての第１傾斜要素ｂ１ｔ、および、第２傾斜要素ｂ２ｔのうち、第１部分ｂ２１に属する全ての第２傾斜要素ｂ２ｔに対して、臨界角θｃよりも小さい入射角度で入射光が入射する。そのため、各傾斜要素に入射した入射光の少なくとも一部は、空気層３７を透過して光干渉層３５に到達する。それゆえに、観察者ＯＢは、光干渉層３５から射出された反射光であって、第１表示領域３４ｂ１を透過した光、または、第２表示領域３４ｂ２の第１部分ｂ２１を透過した光を視認することができる。
【００７６】
しかも、第１傾斜要素ｂ１ｔの傾斜角度θは、光干渉層３５にて反射されたときに反射光に含まれる波長のうち、一部の波長を有した光であって所定の干渉色を有した光が、プリズム層３４から射出されるように構成されている。これに対して、第１部分ｂ２１に属する第２傾斜要素ｂ２ｔの傾斜角度θは、光干渉層３５にて反射されたときに反射光に含まれる波長のうち、一部の波長を有した光であって、第１表示領域３４ｂ１を透過した光とは異なる干渉色を有した光が、プリズム層３４から射出されるように構成されている。そのため、プリズム層３４から射出される光のうち、第１表示領域３４ｂ１を透過した光は、第２表示領域３４ｂ２の第１部分ｂ２１を透過した光とは異なる色を有している。
【００７７】
これに対して、第２傾斜要素ｂ２ｔのうち、第２部分ｂ２２に属する全ての第２傾斜要素ｂ２ｔ、および、全ての第３傾斜要素ｂ３ｔに対して、臨界角θｃよりも大きい入射角度で入射光が入射する。そのため、各傾斜要素に入射した入射光は、各傾斜要素にて全反射され、また、プリズム層３４の内部において多重反射して、プリズム層３４から観察者ＯＢに向けて射出される。そのため、観察者ＯＢは、光干渉層３５から射出された反射光であって、第２表示領域３４ｂ２の第２部分ｂ２２を透過した光、または、第３表示領域３４ｂ３を透過した光を視認することができない。
【００７８】
このように、表示体１０は、第２観察点から観察されたときに、第１傾斜要素ｂ１ｔ、および、第１部分ｂ２１に属する第２傾斜要素ｂ２ｔには、臨界角θｃよりも小さい角度で光が入射するような範囲で、各傾斜要素における傾斜角度が配列方向ＤＡに沿って連続的に変化するように構成されている。また、表示体１０は、第２観察点から観察されたときに、第２部分ｂ２２に属する第２傾斜要素ｂ２ｔおよび第３傾斜要素ｂ３ｔには、臨界角θｃよりも大きい角度で光が入射するような範囲で、各傾斜要素における傾斜角度が配列方向ＤＡに沿って連続的に変化するように構成されている。
【００７９】
［第３観察点］
図１１が示すように、観察者ＯＢが第３観察点から表示体１０を観察しているとき、表示体１０の表面１０ａと、観察者ＯＢの視線方向ＥＬを含む第３平面との形成する角度は、４５°である。なお、第３平面は、表示体１０の表面１０ａと直交し、かつ、延在方向ＤＥに平行な平面に対して、第２平面と面対称の関係を有する。
【００８０】
このとき、全ての第３傾斜要素ｂ３ｔ、および、第２傾斜要素ｂ２ｔのうち、第２部分ｂ２２に属する全ての第２傾斜要素ｂ２ｔに対して、臨界角θｃよりも小さい入射角度で入射光が入射する。そのため、各傾斜要素に入射した入射光の少なくとも一部は、空気層３７を透過して光干渉層３５に到達する。それゆえに、観察者ＯＢは、光干渉層３５から射出された反射光であって、第３表示領域３４ｂ３を透過した光、または、第２表示領域３４ｂ２の第２部分ｂ２２を透過した光を視認することができる。
【００８１】
しかも、第３傾斜要素ｂ３ｔの傾斜角度θは、光干渉層３５にて反射されたときに反射光に含まれる波長のうち、一部の波長を有した光であって所定の干渉色を有した光が、プリズム層３４から射出されるように構成されている。これに対して、第２部分ｂ２２に属する第２傾斜要素ｂ２ｔの傾斜角度θは、光干渉層３５にて反射されたときに反射光に含まれる波長のうち、一部の波長を有した光であって、第３表示領域３４ｂ３を透過した光とは異なる干渉色を有した光が、プリズム層３４から射出されるように構成されている。そのため、プリズム層３４から射出される光のうち、第３表示領域３４ｂ３を透過した光は、第２表示領域３４ｂ２の第２部分ｂ２２を透過した光とは異なる色を有している。
【００８２】
これに対して、第２傾斜要素ｂ２ｔのうち、第１部分ｂ２１に属する全ての第２傾斜要素ｂ２ｔ、および、全ての第１傾斜要素ｂ１ｔに対して、臨界角θｃよりも大きい入射角度で入射光が入射する。そのため、各傾斜要素に入射した入射光は、各傾斜要素にて全反射され、また、プリズム層３４の内部において多重反射して、プリズム層３４から観察者ＯＢに向けて射出される。そのため、観察者ＯＢは、光干渉層３５から射出された反射光であって、第２表示領域３４ｂ２の第１部分ｂ２１を透過した光、または、第１表示領域３４ｂ１を透過した光を視認することができない。
【００８３】
このように、表示体１０は、第３観察点から観察されたときに、第３傾斜要素ｂ３ｔ、および、第２部分ｂ２２に属する第２傾斜要素ｂ２ｔには、臨界角θｃよりも小さい角度で光が入射するような範囲で、各傾斜要素における傾斜角度が配列方向ＤＡに沿って連続的に変化するように構成されている。また、表示体１０は、第３観察点から観察されたときに、第１部分ｂ２１に属する第２傾斜要素ｂ２ｔおよび第１傾斜要素ｂ１ｔには、臨界角θｃよりも大きい角度で光が入射するような範囲で、各傾斜要素における傾斜角度が配列方向ＤＡに沿って連続的に変化するように構成されている。
【００８４】
こうした表示体１０では、各表示領域が有する傾斜要素の傾斜角度を連続的に変えることで、各観察点から表示体１０が視認されたときに、傾斜要素を透過した光によって形成される画像と、傾斜要素にて全反射した光によって形成される画像とを表示することができる。しかも、傾斜要素の傾斜角度が連続的に変わるため、表示体１０の表面１０ａと、視線方向ＥＬを含む平面とが形成する角度を連続して変えることによって、傾斜要素を透過した光によって形成される画像と、傾斜要素にて全反射した光によって形成される画像との境界を滑らかに変えることができる。
【００８５】
また、傾斜要素を透過した光によって形成される画像は、光干渉層３５にて反射した光によって形成される画像でもあり、光干渉層３５に対する光の入射角は、傾斜要素間での傾斜角度の違いに応じて、光の透過した傾斜要素ごとに異なる。そのため、表示体１０の表面１０ａと、視線方向ＥＬを含む平面とが形成する角度が変わることによって、配列方向ＤＡに沿って、各表示領域が表示する画像の色を連続的に変えることもできる。
【００８６】
なお、各表示領域に属する傾斜要素への入射角と、プリズム層３４の屈折率、空気層３７の屈折率、および、プリズム層３４の屈折率と空気層３７の屈折率との比から得られる臨界角θｃを用いて、各表示領域の必要条件を表すことができる。すなわち、傾斜要素に入射した入射光が全反射する表示領域での傾斜角度を傾斜角度θ１とし、この表示領域の傾斜要素に対する光の入射角を入射角θｆ１とし、傾斜要素に入射した光が屈折し、かつ、透過する表示領域での傾斜角度を傾斜角度θ２とし、この表示領域に入射した光の入射角を入射角θｆ２とする。また、プリズム層３４の屈折率を屈折率Ｎ１とし、空気層３７の屈折率を屈折率Ｎ２とするとき、各表示領域での必要条件は、以下に示す式２によって表すことができる。
θｆ１  ≧  ａｒｃｓｉｎ（Ｎ２／Ｎ１）  ＞  θｆ２  …  （式２）
【００８７】
なお、入射光が全反射する表示領域と、入射光が透過する表示領域との間で、プリズム層３４の屈折率が異なるときには、以下に示す式３および式４によって、各表示領域での必要条件を表すことができる。なお、以下では、入射光が全反射する表示領域でのプリズム層３４の屈折率を屈折率Ｎ１とし、空気層３７の屈折率を屈折率Ｎ２とし、入射光が透過する表示領域でのプリズム層３４の屈折率を屈折率Ｎ３とし、入射光が透過する表示領域での空気層３７の屈折率を屈折率Ｎ４とする。
θｆ１  ≧  ａｒｃｓｉｎ（Ｎ２／Ｎ１）  …  （式３）
ａｒｃｓｉｎ（Ｎ４／Ｎ３）  ＞  θｆ２  …  （式４）
【００８８】
このように、表示体１０に属する３つのパラメータ、すなわち、各傾斜要素の傾斜角度、プリズム層３４の屈折率、および、空気層３７の屈折率によって、各表示領域に入射した入射光が、表示領域において全反射するか、あるいは、透過するかを決めることができる。
【００８９】
［表示体の作用］
図１２から図１４を参照して表示体１０の作用を説明する。
図１２が示すように、観察者ＯＢが第１観察点から表示体１０を観察したときには、第１表示領域３４ｂ１および第３表示領域３４ｂ３に入射した光は、各表示領域に属する傾斜要素によって全反射されるため、白色を有した第１画像１１と、白色を有した第３画像１３とが表示される。これに対して、第２表示領域３４ｂ２に入射した光は、第２傾斜要素ｂ２ｔを透過するため、印刷層３６が有する色に応じた第２画像１２が表示される。印刷層３６が例えば黒色を有するときには、黒色を有する第２画像１２が表示される。
【００９０】
なお、表示体１０の表面１０ａと対向する平面視において、光干渉層３５が位置する領域であって、かつ、表示体１０の厚さ方向において、第１表示領域３４ｂ１、第２表示領域３４ｂ２、および、第３表示領域３４ｂ３と重ならない部位は、光干渉層３５が射出した光に由来する色を有した第４画像１４が形成される。
【００９１】
図１３が示すように、観察者ＯＢが第２観察点から表示体１０を観察したときには、第１表示領域３４ｂ１、および、第２表示領域３４ｂ２の第１部分ｂ２１に入射した光は、各表示領域に属する傾斜要素を透過する。これに対して、第２表示領域３４ｂ２の第２部分ｂ２２、および、第３表示領域３４ｂ３に入射した光は、各表示領域に属する傾斜要素によって全反射される。
【００９２】
そのため、光干渉層３５が表示する第４画像１４とは異なる色を有した第１画像１１が表示され、白色を有した第３画像１３が表示される。また、第２画像１２のうち、第１部分ｂ２１を透過した光を通じて表示される部分は、印刷層３６に応じた色を有した画像として表示される。一方で、第２画像１２のうち、第２部分ｂ２２にて全反射した光を通じて表示される部分は、印刷層３６に応じた色ではなく白色を有した画像として表示される。
【００９３】
図１４が示すように、観察者ＯＢが第３観察点から表示体１０を観察したときには、第３表示領域３４ｂ３、および、第２表示領域３４ｂ２の第２部分ｂ２２に入射した光は、各表示領域に属する傾斜要素を透過する。これに対して、第２表示領域３４ｂ２の第１部分ｂ２１、および、第１表示領域３４ｂ１に入射した光は、各表示領域に属する傾斜要素によって全反射される。
【００９４】
そのため、光干渉層３５が表示する第４画像１４とは異なる色を有した第３画像１３が表示され、白色を有した第１画像１１が表示される。また、第２画像１２のうち、第２部分ｂ２２を透過した光を通じて表示される部分は、印刷層３６に応じた色を有した画像として表示される。一方で、第２画像１２のうち、第１部分ｂ２１にて全反射した光を通じて表示される部分は、印刷層３６に応じた色ではなく白色を有した画像として表示される。
【００９５】
［表示体の製造方法］
以下では、表示体１０を構成する各層の形成材料、および、各層の形成方法を説明する。
［プリズム層］
プリズム層３４の形成方法には、熱エンボス法、キャスト法、および、フォトポリマー法などを用いることができる。フォトポリマー法は、２Ｐ法または感光性樹脂法とも呼ばれる方法である。これらの方法では、まず、プリズム層３４を複製するための複製型と平坦な基材との間に放射線硬化性樹脂を位置させた状態で、放射線硬化性樹脂に放射線を照射することによって放射線硬化性樹脂を硬化させる。そして、硬化した放射線硬化性樹脂を基材とともに複製型から剥離することによって、凹凸面を有したプリズム層を得ることができる。
【００９６】
こうした放射性硬化性樹脂を用いる方法によれば、プレス法やキャスト法などの熱可塑性樹脂を用いる方法に比べて、凹凸面の形状における精度が高く、耐熱性や耐薬品性が高いプリズム層３４を得ることができる。なお、プリズム層３４の形成方法として、常温にて固体状または高粘度の液体状を有した光硬化性樹脂を用いる方法を用いてもよいし、プリズム層３４の形成方法では、プリズム層３４を形成するための樹脂に離型剤を添加してもよい。
【００９７】
以下では、プリズム層３４の形成材料として用いることが可能な各種の材料を説明する。なお、上述した放射線硬化性樹脂、および、熱可塑性樹脂は、いずれもプリズム層３４の形成材料として用いることは可能である。
【００９８】
プリズム層３４の形成材料には、熱可塑性樹脂、熱硬化性樹脂、および、ウレタン樹脂を用いることができる。熱可塑性樹脂には、アクリル系樹脂、エポキシ系樹脂、セルロース系樹脂、ビニル系樹脂、および、ポリカーボネート系樹脂などが挙げられる。熱可塑性樹脂には、メラミン系樹脂、エポキシ樹脂、および、フェノール系樹脂などが挙げられる。ウレタン樹脂は、反応性水酸基を有するアクリルポリオールやポリエステルポリオールなどに、ポリイソシアネートを架橋剤として添加または架橋したウレタン樹脂である。プリズム層３４の形成材料には、上述した樹脂のいずれか１つを用いてもよいし、２つ以上を用いてもよい。また、上述した樹脂以外にも、凹凸面を有したプリズム層３４を形成することが可能であれば、プリズム層３４の形成材料として用いることが可能である。
【００９９】
プリズム層３４の形成方法としてフォトポリマー法を用いるときには、プリズム層３４の形成材料として、エチレン性不飽和結合またはエチレン性不飽和基を有するモノマー、オリゴマー、および、ポリマーなどを用いることができる。このうち、モノマーには、１，６‐ヘキサンジオール、ネオペンチルグリコールジアクリレート、トリメチロールプロパントリアクリレート、ペンタエリスリトールアクリレート、ペンタエリスリトールテトラアクリレート、ジペンタエリスリトールペンタアクリレート、ジペンタエリスリトールヘキサアクリレートなどが挙げられる。オリゴマーには、エポキシアクリレート、ウレタンアクリレート、および、ポリエステルアクリレートなどが挙げられる。オリゴマーには、エポキシアクリレート、ウレタンアクリレート、および、ポリエステルアクリレートなどが挙げられる。ポリマーには、ウレタン変性アクリル樹脂、および、エポキシ変性アクリル樹脂などが挙げられる。プリズム層３４の形成材料には、これらのいずれか１つを用いてもよいし、２つ以上を用いてもよい。
【０１００】
なお、上述したエチレン性不飽和結合またはエチレン性不飽和基を有するモノマー、オリゴマー、および、ポリマーに予め反応基を形成してもよい。この場合には、イソシアネート化合物、シランカップリング剤、有機チタネート架橋剤、有機ジルコニウム架橋剤、および、有機アルミネートなどを用いて、エチレン性不飽和結合またはエチレン性不飽和基を有するモノマー、オリゴマー、および、ポリマーを互いに架橋すること、または、他の樹脂骨格と架橋することが可能である。
【０１０１】
こうした方法によれば、エチレン性不飽和結合またはエチレン性不飽和基をもつポリマーであって、常温において固形で存在し、かつ、タックが少ないために、成形性がよく、かつ、原版が汚れにくいポリマーを得ることも可能である。
【０１０２】
また、光カチオン重合を用いてプリズム層を硬化させるときには、プリズム層３４の形成材料には、オキセタン骨格含有化合物、ビニルエーテル類、および、エポキシ基を有するモノマー、オリゴマー、および、ポリマーなどを用いることができる。
【０１０３】
放射線硬化性樹脂を紫外線などの光によって硬化させるときには、放射線硬化性樹脂に光重合開始剤を添加することができる。光重合開始剤には、放射線硬化性樹脂の種類に応じて、光ラジカル重合開始剤、光カチオン重合開始剤、および、光ラジカル重合開始剤と光カチオン重合開始剤との併用型、いわゆるハイブリッド型のいずれかを選択することができる。
【０１０４】
光ラジカル重合開始剤には、ベンゾイン化合物、アントラキノン系化合物、フェニルケトン系化合物、ベンジルジメチルケタール、チオキサントン、アシルホスフィンオキサイド、および、ミヒラーズケトンなどが挙げられる。ベンゾイン化合物には、ベンゾイン、ベンゾインメチルエーテル、および、ベンゾインエチルエーテルなどが挙げられる。アントラキノン系化合物には、アントラキノン、および、メチルアントラキノンなどが挙げられる。フェニルケトン系化合物には、アセトフェノン、ジエトキシアセトフェノン、ベンゾフェノン、ヒドロキシアセトフェノン、１‐ヒドロキシシクロヘキシルフェニルケトン、α‐アミノアセトフェノン、２‐メチル‐１‐オンなどが挙げられる。
【０１０５】
光カチオン重合開始剤には、芳香族ジアゾニウム塩、芳香族ヨードニウム塩、芳香族スルホニウム塩、および、混合配位子金属塩などが挙げられる。光ラジカル重合と光カチオン重合とを併用する開始剤には、各重合開始剤を混合した開始剤を用いることができる。また、光ラジカル重合と光カチオン重合とを開始させる機能を有する１つの開始剤を用いてもよく、こうした開始剤には、芳香族ヨードニウム塩、および、芳香族スルホニウム塩などが挙げられる。
【０１０６】
放射線硬化性樹脂と光重合開始剤との配合は、各放射線硬化性樹脂および各光重合開始剤によって適宜処方すればよいが、一般に、放射性硬化性樹脂の質量に対して、光重合開始剤を０．１５質量％以上１５質量％以下の範囲で添加することが好ましい。
【０１０７】
プリズム層３４の形成材料には、光重合開始剤に加えて増感色素を添加してもよい。また、プリズム層３４の形成材料は、染料、顔料、各種添加剤、および、架橋剤などを含んでもよい。添加剤には、重合禁止剤、レべリング剤、消泡剤、タレ止め剤、付着向上剤、塗面改質剤、可塑剤、および、含窒素化合物などが挙げられ、架橋剤には、エポキシ樹脂などが挙げられる。また、プリズム層３４の形成材料には、光重合反応に非反応性の樹脂である熱可塑性樹脂や熱硬化性樹脂などを添加してもよく、これにより、プリズム層３４の成形性を高めることができる。
【０１０８】
プリズム層３４の形成材料には、さらに、無機材料、有機材料、有機無機複合微粒子、および、中空粒子などを添加してもよい。この場合には、粒子の表面に官能基を形成することによって、粒子の分散性や膜強度を高めることが可能である。また、プリズム層３４の形成材料には、粒子の分散性を高めるための分散剤や界面活性剤を添加してもよいし、膜強度を高めるための架橋剤を添加してもよい。
【０１０９】
［光干渉層］
光干渉層３５には、コレステリック液晶層、および、多層干渉構造体のいずれかを用いることができる。
【０１１０】
［コレステリック液晶層］
コレステリック液晶では、液晶分子の延びる方向が、コレステリック液晶層の厚さ方向に沿って螺旋状に旋回するため、螺旋状の軸に沿って光の屈折率が周期的に変わる。それゆえに、コレステリック液晶は、螺旋の周期に応じた波長の光を選択的に反射することができる。こうしたコレステリック液晶を配向させることによって、コレステリック液晶を構成する各分子が層状に配列されるため、コレステリック液晶の反射した反射光が強め合うことによって、コレステリック液晶層が全体として所定の色を有した光を反射する。
【０１１１】
コレステリック液晶層が反射する光の色は、コレステリック液晶層を観察する角度に応じて変わる。言い換えれば、コレステリック液晶層と、観察者ＯＢの視線方向ＥＬを含む平面とが形成する角度が変わることによって、コレステリック液晶層が反射する光であって、観察者ＯＢによって視認される光の色が変わる。
【０１１２】
所定の方向に液晶分子が配向したコレステリック液晶層は、基材上に配向膜を形成し、この配向膜上にコレステリック液晶を塗布することによって形成することができる。配向膜は、ポリビニルアルコールやポリイミドの塗布膜をラビング処理することによって形成することができる。ラビング処理は、コットンやベルベットなどを用いて塗布膜を擦ることによって行うことができる。また、コレステリック液晶に剪断力を加えながら基材に塗布することによって、液晶分子を配向させることもできる。また、基材に形成したコレステリック液晶層に偏光したレーザー光を照射したり、電解または磁界を加えたりすることによって、液晶分子を配向させることもできる。
【０１１３】
コレステリック液晶層は、ネマチック構造を有する液晶物質、キラル物質、光重合性多官能化合物、および、光重合開始剤を混合した液晶溶液を塗布して塗膜を形成し、塗膜に紫外線を照射することによって形成することができる。液晶溶液の形成材料には、光重合性多官能化合物に代えて、光重合性単官能化合物を用いることも可能である。
【０１１４】
このとき、キラル物質が１つの液晶物質と他の液晶物質とを結合することによって、螺旋構造を形成する。また、光重合性多官能化合物は互いに重合した状態で硬化することによって、コレステリック液晶を固定する。なお、液晶物質とキラル物質との代わりに、分子中に不斉炭素原子を有する光学異性体液晶物質を用いてもよい。また、光学異性体液晶物質、光重合性多官能化合物、および、光重合開始剤を混合した液晶溶液を塗布して塗膜を形成し、塗膜に紫外線を照射することによって、コレステリック液晶層を形成することも可能である。
【０１１５】
なお、液晶溶液を基材上に塗布することによってコレステリック液晶層を形成することも可能である。また、基材とは異なる支持体上にコレステリック液晶層を形成した後、接着剤を使用して支持体上に形成したコレステリック液晶層を支持体とともに基材に接着したり、コレステリック液晶層を基材に転写したりすることによって、基材上にコレステリック液晶層を形成することも可能である。
【０１１６】
上述した光重合性多官能化合物には、重合性官能基、重縮合性官能基、または、重付加に有効な官能基を分子中に２つ以上有する単量体またはオリゴマーを用いることができ、これらのうち２種以上を用いることも可能である。光重合性多官能化合物には、以下に列挙するラジカル系光重合性多官能単量体、または、ラジカル系光重合性多官能オリゴマーを用いることができる。また、光重合性単官能化合物には、以下に列挙するラジカル系光重合性単官能単量体を用いることができる。
【０１１７】
ラジカル系光重合性多官能単量体には、トリメチロールプロパントリアクリレート、１，６‐ヘキサンジオールアクリレート、ペンタエリスルトールテトラアクリレート、ペンタエリスリトールアクリレート、および、ジペンタエリスリトールヘキサアクリレートなどが挙げられる。また、ラジカル系光重合性多官能オリゴマーには、ポリウレタンポリアクリレート、エポキシ樹脂系ポリアクリレート、および、アクリルポリオールポリアクリレートなどが挙げられる。
【０１１８】
また、ラジカル系光重合性単官能単量体には、アルキル（炭素数は１から１８）（メタ）アクリレート、ベンジル（メタ）アクリレート、シクロへキシル（メタ）アクリレート、アルキレン（炭素数は２から４）グリコール（メタ）アクリレート、アルコキシ（炭素数は１から１０）、アルキル（炭素数は２から４）（メタ）アクリレート、ポリアルキレン（炭素数は２から４）グリコール（メタ）アクリレート、アルコキシ（炭素数は１から１０）アルキル（炭素数は２から４）（メタ）アクリレート、ポリアルキレン（炭素数は２から４）グリコール（メタ）アクリレート、および、アルコキシ（炭素数は２から１０）ポリアルキレン（炭素数は２から４）グリコール（メタ）アクリレートなどが挙げられる。
【０１１９】
また、光重合性多官能化合物には、芳香族エポキシ化合物、脂環式エポキシ化合物、および、グリシジルエステル系化合物を用いることもできる。
【０１２０】
光重合開始剤には、ラジカル系光重合開始剤やカチオン光重合開始剤を用いることができる。また、これら光重合開始剤に加えて、増感剤や過酸化物を併用することもできる。ラジカル系光重合開始剤には、α‐ヒドロキシアセトフェノン系、α‐アミノアセトフェノン系等のアセトフェノン系、ベンゾインエーテル系、ベンジルケタール系、α‐ジカルボニル系、および、α‐アシルオキシムエステル系などを挙げることができる。
【０１２１】
具体的には、ラジカル系光重合開始剤には、α‐アミノアセトフェノン、アセトフェノンジエチルケタール、ベンジルジメチルケタール、α‐ヒドロキシシクロヘキシルフェニルケトン、２‐ヒドロキシ‐２‐メチルフェニルプロパノン、ベンゾフェノン、ミヒラーズケトン、イソプロピルチオキサントン、および、ベンゾフェノンとＮ‐メチルジエタノールアミンとの併用などが挙げられる。
【０１２２】
カチオン系光重合開始剤は、上述した増感剤や過酸化物と併用することが好ましい。カチオン系光重合開始剤と増感剤あるいは過酸化物との併用には、アリルヨードニウム塩‐α‐ヒドロキシアセトフェノン系、トリアリルスルホニウム塩系、メタロセン化合物‐パーオキサイド併用系、メタロセン化合物‐チオキサントン併用系、メタロセン化合物‐アントラセン併用系などが挙げられる。
【０１２３】
液晶物質、キラル物質、光重合性多官能化合物、および、重合開始剤を混合した液晶溶液を塗布するときには、コンマコーター、および、マイクログラビアコーターオフセットなどを用いることができる。また、液晶溶液を塗布した塗膜の厚さは、０．５μｍ以上２０μｍ以下であることが好ましく、２μｍ以上１０μｍ以下であることがより好ましい。
【０１２４】
塗膜に紫外線を照射するときには、酸素による重合阻害を抑えるために、塗膜が配置される空間に窒素などの不活性ガスを供給することによって、空間内における酸素ガス濃度を下げた状態で、塗膜に紫外線を照射してもよい。あるいは、塗膜を酸素バリアー性の被膜で被覆した状態で、塗膜に紫外線を照射してもよい。酸素バリアー性の被膜には、ポリビニルアルコール膜が挙げられる。
【０１２５】
［多層干渉構造体］
多層干渉構造体は、低屈折率の透明薄膜と高屈折率の透明薄膜とを、交互にかつ多数積層した構成を有する。なお、高屈折率の透明薄膜の代わりに、金属の薄膜を用いることもできる。
【０１２６】
透明薄膜の形成材料には、無機誘電体を用いることができる。無機誘電体には、ＡｌＦ３（１．３）、ＣａＦ２（１．３から１．４）、ＭｇＦ２（１．４）、ＳｉＯ２（１．５）、ＣｅＦ２（１．６）、Ａｌ２Ｏ３（１．６）、ＭｇＯ（１．７）、Ｉｎ２Ｏ３（２．０）、ＺｒＯ（２．０）、ＺｎＯ（２．１）、Ｔａ２Ｏ５（２．１）、ＣｅＯ２（２．３）、ＺｎＳ（２．３）、ＴｉＯ２（２．５）、ＣｄＳ（２．６）、Ｆｅ２Ｏ３（２．７）、および、Ｓｂ２Ｓ３（３．０）などが挙げられる。なお、各無機誘電体に続く数値は、その無機誘電体が有する屈折率である。また、透明薄膜の厚さは、可視領域における光の波長程度の大きさである。真空蒸着法などの気相堆積法によって透明薄膜を成膜することができる。
【０１２７】
透明薄膜の形成材料には、合成樹脂を用いることもできる。合成樹脂には、ナイロン（１．５３）、ポリメチルメタアクリレート（ＰＭＭＡ）（１．４９）、ポリメチルペンテン（１．４６）、フッ素系ＰＭＭＡ（１．４）、ポリエチレンナフタレート（１．６３）、ポリカーボネート（１．９）、ポリスチレン（１．５９）、および、ポリエチレンテレフタレート（１．５８）などが挙げられる。なお、各合成樹脂に続く数値は、その合成樹脂が有する屈折率である。また、合成樹脂製の透明薄膜を有する多層干渉構造体は、保形性を有するため、こうした多層干渉構造体を有する表示体では、基材３１が割愛されてもよい。
【０１２８】
多層干渉構造体に入射した光は、１つの薄膜と他の薄膜の界面を反射面として反射を繰り返し、多層干渉構造体において多重反射した光が干渉することによって、所定の波長を有した光が反射光として多層干渉構造体から射出される。多層干渉構造体から反射光として射出された光以外の光は、多層干渉構造体を透過する。多層干渉構造体が反射する光の色は、多層干渉構造体を観察する角度に応じて変わる。言い換えれば、多層干渉構造体と、観察者の視線方向を含む平面とが形成する角度が変わることによって、多層干渉構造体が反射する光であって、観察者によって視認される光の色が変わる。
【０１２９】
なお、多層干渉構造体を粉砕して粉末状のパール顔料を形成し、パール顔料、溶剤、および、バインダーを混合した塗液を基材上に印刷または塗布することによって、光干渉層３５を形成してもよい。
【０１３０】
［印刷層］
印刷層３６の形成材料には、顔料インキおよび染料インキを用いることができる。印刷層３６の形成方法には、グラビア印刷法およびスクリーン印刷法などを用いることができる。
【０１３１】
［基材］
基材３１は、合成樹脂から形成された樹脂フィルムまたは樹脂シートであればよい。基材３１の形成材料には、ポリエチレンテレフタレート、ポリエチレンナフタレート、および、ポリカーボネートなどを用いることができる。基材３１は、光透過性を有してもよいし、光透過性を有していなくてもよい。
【０１３２】
［実施例］
５０μｍの厚さを有した透明のポリエチレンテレフタレート（ＰＥＴ）フィルムを基材として準備した。そして、基材上に、ＳｉＯ２層とＴａ２Ｏ５層とを交互に積層して、多層干渉構造体を形成した。次いで、光干渉層の一部に、黒色インキを用いたスクリーン印刷によって、八分音符の形状を表現する印刷層を形成した。
【０１３３】
一方で、光硬化性樹脂（日産化学工業（株）製、ハイパーテック  ＵＲ−１０８Ｎ）（ハイパーテックは登録商標）をプリズム層用インキとして用いるとともに、ロールフォトポリマー法を用いてプリズム層を形成した。プリズム層を形成するときには、まず、プリズム層用インキを基材とは異なる支持体に、厚さが１５μｍとなるようにグラビア印刷法を用いて塗工し、これにより塗膜を形成した。
【０１３４】
そして、塗膜のうち、支持体に接する面とは反対側の面に、傾斜要素を形成するための凹凸形状を有した円筒状の原版を以下の条件で押し当てた。すなわち、プレス圧力を２ｋｆｇ／ｃｍ２に設定し、プレス温度を１００℃に設定し、プレススピードを１０ｍ／ｍｉｎに設定して、原版を塗膜に押し当てた。原版を塗膜に押し当てると同時に、支持体に対して塗膜とは反対側から、高圧水銀灯を用いて３００Ｊ／ｃｍ２の線量を有する紫外線を照射した。これにより、原版が有する凹凸形状を塗膜に転写すると同時に塗膜を硬化することによって、屈折率が１．７６であるプリズム層を得た。
【０１３５】
なお、プリズム層の第２プリズム面のうち、上述した第１表示領域、第２表示領域、および、第３表示領域に対応する部分に、複数の傾斜要素を形成した。第１表示領域および第３表示領域では、傾斜要素が並ぶ方向において互いに隣り合う傾斜要素において、傾斜角度が１°ずつ異なるように複数の傾斜要素を形成した。また、第２表示領域の第１部分に属する傾斜要素であって、傾斜要素が並ぶ方向において互いに隣り合う傾斜要素、および、第２表示領域の第２部分に属する傾斜要素であって、傾斜要素が並ぶ方向において互いに隣り合う傾斜要素でも、傾斜角度が１°ずつ異なるように複数の傾斜要素を形成した。これにより、実施例の表示体を得た。
【０１３６】
表示体を第１観察点、第２観察点、および、第３観察点の各々から観察したところ、表示体が以下の画像を表示することが認められた。すなわち、第１観察点から表示体を観察したところ、白色を有する第１画像、黒色を有する第２画像、白色を有する第３画像、および、緑色を有する第４画像を表示体が表示することが認められた。
【０１３７】
第２観察点から表示体を観察したところ、橙色を有する第１画像、黒色を有する部分と白色を有する部分とから構成される第２画像、白色を有する第３画像、および、緑色を有する第４画像を表示体が表示することが認められた。
【０１３８】
第３観察点から表示体を観察したところ、白色を有する第１画像、黒色を有する部分と白色を有する部分とから構成される第２画像、橙色を有する第３画像、および、緑色を有する第４画像を表示体が表示することが認められた。
【０１３９】
以上説明したように、表示体の一実施形態によれば以下に列挙する効果を得ることができる。
（１）プリズム層３４から空気層３７に向けて光が入射するとき、界面に沿って入射光が屈折する入射角度である臨界角θｃを生じさせることができる。しかも、各表示領域では、複数の傾斜要素において傾斜角度θが連続して変わる。そのため、表示体１０の広がる平面と観察者ＯＢの視線方向ＥＬを含む平面との角度が変わることによって、傾斜要素のうち、入射光の入射角度が臨界角θｃよりも大きい傾斜要素と、入射光の入射角度が臨界角θｃよりも小さい傾斜要素との境界が、配列方向ＤＡにおいて連続的に変わる。これにより、各表示領域において、光干渉層３５にて反射した光を透過する部分と、光干渉層３５にて反射した光を透過しない部分との境界が連続的に変わるため、表示体１０の意匠性を高めることができる。
【０１４０】
（２）表示体１０の広がる平面と観察者ＯＢの視線方向ＥＬを含む平面との角度が変わることによって、配列方向ＤＡにおいて互いに隣り合う表示領域間において、光干渉層３５にて反射した光を透過する部分と、光干渉層３５にて反射した光を透過しない部分との境界を連続的に変えることができる。これにより、表示体１０の意匠性を高めることができる。
【０１４１】
（３）視線方向ＥＬを含む平面が、表示体１０が広がる平面に対して垂直以外の角度で交差するとき、傾斜要素の傾く方向が互いに異なる第１表示領域３４ｂ１と第３表示領域３４ｂ３との間では、各傾斜要素への入射光であって、観察者ＯＢが視認することのできる光の入射角度を大きく異ならせることが可能である。
【０１４２】
（４）第１部分ｂ２１における第２傾斜要素ｂ２ｔの傾く方向は、第２部分ｂ２２における第２傾斜要素ｂ２ｔの傾く方向とは逆の方向である。そのため、視線方向ＥＬを含む平面が、表示体１０が広がる平面に対して垂直以外の角度で交差するとき、第２傾斜要素の傾く方向が同じである構成と比べて、各第２傾斜要素ｂ２ｔへの入射光であって、観察者ＯＢが視認することのできる光の入射角度を大きく異ならせることが可能である。それゆえに、１つの第２表示領域３４ｂ２が形成する画像において、状態の異なる２つの部分を形成することができ、ひいては、表示体１０の意匠性を高めることができる。
【０１４３】
なお、上述した実施形態は以下のように適宜変更して実施することができる。以下に参照する図１５から図１７は、プリズム層３４の第２プリズム面３４ｂと対向する平面視における表示領域の平面構造を示している。
【０１４４】
［第１変形例］
・図１５が示すように、第２プリズム面３４ｂと対向する平面視において、各表示領域４１は三角形状を有し、各表示領域４１は、各表示領域４１が有する外縁において少なくとも１つの他の表示領域４１と接している。各表示領域４１は、複数の傾斜要素４１ａを含んでいる。各表示領域４１は、各表示領域４１に固有の配列方向を有し、複数の表示領域４１には、配列方向が互いに異なる表示領域４１が含まれている。
【０１４５】
なお、各表示領域４１は三角形状に限らず、他の形状を有してもよい。
すなわち、図１６が示すように、各表示領域４２は正方形状を有してもよく、各表示領域４２は、各表示領域４２が有する外縁において少なくとも２つの他の表示領域４２と接している。各表示領域４２は、複数の傾斜要素４２ａを含んでいる。各表示領域４２は、各表示領域４２に固有の配列方向を有し、複数の表示領域４２には、配列方向が互いに異なる表示領域４２が含まれている。
【０１４６】
なお、図１５および図１６では、図示の便宜上、各表示領域において、各傾斜要素が配列方向に沿って有する幅は互いに等しいが、上述した実施形態と同様、各表示領域では、各傾斜要素の傾斜角度が配列方向に沿って連続的に変わることによって、配列方向に沿う各傾斜要素の幅も連続的に変わっている。
【０１４７】
また、複数の表示領域において、各傾斜要素の傾斜角度が配列方向に沿って連続的に変わる表示領域が少なくとも１つ含まれていれば、複数の表示領域には、１つの表示領域に属する全ての傾斜要素において傾斜角度が等しい表示領域が含まれてもよい。
【０１４８】
こうした構成によれば、以下に記載の効果を得ることができる。
（５）表示体１０の広がる平面と視線方向ＥＬを含む平面との角度を変えたときに、入射角度が臨界角θｃよりも大きい傾斜要素と、入射角度が臨界角θｃよりも小さい傾斜要素との境界が連続的に変わる状態を、配列方向が互いに異なる表示領域間で変えることができる。それゆえに、全ての表示領域において配列方向が同じである構成と比べて、表示体１０の意匠性を高めることができる。
【０１４９】
［第２変形例］
・図１７が示すように、第２プリズム面３４ｂと対向する平面視において、第２プリズム面３４ｂは、複数の第４表示領域４３と複数の第５表示領域４４とを含んでいる。第２プリズム面３４ｂと対向する平面視において、各第４表示領域４３は第１の面積を有し、各第５表示領域４４は第１の面積よりも小さい第２の面積を有している。
【０１５０】
各第４表示領域４３は、四隅が曲率を有した四角形状を有し、各第５表示領域４４は円形状を有しているが、第４表示領域４３の面積と第５表示領域４４の面積とが互いに異なっていれば、第４表示領域４３と第５表示領域４４とは互いに相似な形状を有してもよい。
【０１５１】
また、各第４表示領域４３は、各第４表示領域４３に固有の配列方向を有し、複数の第４表示領域４３には、傾斜要素４３ａの配列方向が互いに異なる第４表示領域４３が含まれている。これに対して、全ての第５表示領域４４において、傾斜要素４４ａの配列方向が互いに等しい。
【０１５２】
なお、全ての第４表示領域４３において、傾斜要素４３ａの配列方向が互いに等しく、かつ、全ての第５表示領域４４において、傾斜要素４４ａの配列方向が互いに等しくてもよい。また、複数の第４表示領域４３に、傾斜要素４３ａの配列方向が互いに異なる第４表示領域４３が含まれ、かつ、複数の第５表示領域４４に、傾斜要素４４ａの配列方向が互いに異なる第５表示領域４４が含まれてもよい。さらに、全ての第４表示領域４３において、配列方向が互いに等しい一方で、複数の第５表示領域４４に、傾斜要素４４ａの配列方向が互いに異なる第５表示領域４４が含まれてもよい。
【０１５３】
なお、図１７では、図示の便宜上、各表示領域において、各傾斜要素が配列方向に沿って有する幅は互いに等しいが、上述した実施形態と同様、各表示領域では、各傾斜要素の傾斜角度が配列方向に沿って連続的に変わることによって、配列方向に沿う各傾斜要素の幅も連続的に変わっている。
【０１５４】
こうした構成によれば、以下に記載の効果を得ることができる。
（６）第１の面積を有する第４表示領域４３と第２の面積を有する第５表示領域４４との間では、各表示領域が有する面積の違いによって、各表示領域の全体から射出される光の光量を異ならせることができる。そのため、全ての表示領域が同じ大きさを有する構成と比べて、表示体１０の広がる平面と視線方向ＥＬを含む平面との角度を変えたときに、表示領域から射出される光量の違いによって、表示体１０の意匠性を高めることができる。
【０１５５】
［第３変形例］
・図１８が示すように、表示体５０はプリズム層３４と、プリズム層３４を透過する印刷層３２とを備えている。表示体５０の表面５０ａと対向する平面視において、プリズム層３４は、第１方向Ｄ１と第１方向Ｄ１に直交する第２方向Ｄ２とに沿って広がる矩形板状を有している。印刷層３２は、表面５０ａと対向する平面視において、５つの頂点を有する星形状を有し、プリズム層３４の中央を含む部分に位置している。
【０１５６】
プリズム層３４の第２プリズム面３４ｂは、６つの第６表示領域５１を含み、表面５０ａと対向する平面視において、３つの第６表示領域５１、印刷層３２、および、３つの第６表示領域５１が、第１方向Ｄ１に沿って間隔を空けて並んでいる。第２プリズム面３４ｂは、６つの第７表示領域５２を含み、表面５０ａと対向する平面視において、３つの第７表示領域５２、印刷層３２、および、３つの第７表示領域５２が、第２方向Ｄ２に沿って間隔を空けて並んでいる。各第６表示領域５１および、各第７表示領域５２は、表面５０ａと対向する平面視において、４つの頂点を有する星形状を有している。
【０１５７】
こうした表示体５０において、各第６表示領域５１は、第１方向Ｄ１に沿って並び、かつ、第２方向Ｄ２に沿って延びる複数の傾斜要素を有してもよい。この場合には、各第６表示領域５１において、傾斜要素の傾斜角度が、第１方向Ｄ１に沿って一定の角度ずつ変わり、かつ、全ての第６表示領域５１において、傾斜要素における傾斜角度の範囲が等しくてもよい。または、第１方向Ｄ１の一端に位置する第６表示領域５１から第１方向Ｄ１の他端に位置する第６表示領域５１に向けて、傾斜要素の傾斜角度が、複数の第６表示領域５１にわたって、第１方向Ｄ１に沿って一定の角度ずつ変わってもよい。
【０１５８】
このとき、各第７表示領域５２は、第２方向Ｄ２に沿って並び、かつ、第１方向Ｄ１に沿って延びる複数の傾斜要素を有してもよい。この場合には、各第７表示領域５２において、傾斜要素の傾斜角度が、第２方向Ｄ２に沿って一定の角度ずつ変わり、かつ、全ての第７表示領域５２において、傾斜要素における傾斜角度の範囲が等しくてもよい。または、第２方向Ｄ２の一端に位置する第７表示領域５２から第２方向Ｄ２の他端に位置する第７表示領域５２に向けて、傾斜要素の傾斜角度が、複数の第７表示領域５２にわたって、第２方向Ｄ２に沿って一定の角度ずつ変わってもよい。
【０１５９】
また、表示体５０において、各第６表示領域５１および各第７表示領域５２は、第１方向Ｄ１に沿って並び、かつ、第２方向Ｄ２に沿って延びる複数の傾斜要素を有してもよい。そして、全ての第６表示領域５１では、表面５０ａと対向する平面視において、印刷層３２に対する一方側に位置する３つの第６表示領域５１が１つの表示領域群を構成し、印刷層３２に対する他方側に位置する３つの第６表示領域５１が１つの表示領域群を構成している。また、全ての第７表示領域５２では、表面５０ａと対向する平面視において、印刷層３２に対する一方側に位置する３つの第７表示領域５２が１つの表示領域群を構成し、印刷層３２に対する他方側に位置する３つの第７表示領域５２が１つの表示領域群を構成している。
【０１６０】
各表示領域群において、印刷層３２からの距離が最も小さい表示領域から、印刷層３２からの距離が最も大きい表示領域に向けて、傾斜要素の傾斜角度が、印刷層３２から離れる方向に沿って一定の角度ずつ大きくなってもよいし、小さくなってもよい。
【０１６１】
こうした構成によれば、表示体５０の表面５０ａと、観察者ＯＢの視線方向ＥＬを含む平面とが形成する角度が変わることによって、各表示領域が表示する画像の色が変わるため、表示体５０の意匠性を高めることができる。
【０１６２】
［他の変形例］
上述した実施形態は、以下のように適宜変更して実施することができる。
・配列方向ＤＡにおいて、最も第２表示領域３４ｂ２寄りに位置する第１傾斜要素ｂ１ｔの傾斜角度θと、最も第１表示領域３４ｂ１寄りに位置する第２傾斜要素ｂ２ｔの傾斜角度θとの差は、各表示領域内にて、配列方向ＤＡにおいて互いに隣り合う傾斜要素間での傾斜角度θの差とは異なってもよい。こうした構成であっても、各表示領域は、配列方向ＤＡに沿って並び、かつ、配列方向ＤＡに沿って傾斜角度θが一定の角度ずつ変わる傾斜要素を含んでいれば、上述した（１）の効果を得ることはできる。
【０１６３】
・複数の表示領域において、配列方向ＤＡにおいて互いに隣り合う傾斜要素での傾斜角度θの差が、互いに異なっていてもよい。こうした構成であっても、各表示領域は、配列方向ＤＡに沿って並び、かつ、配列方向ＤＡに沿って傾斜角度θが一定の角度ずつ変わる複数の傾斜要素を含んでいれば、上述した（１）の効果を得ることはできる。
【０１６４】
・第２プリズム面３４ｂは、第１表示領域３４ｂ１、第２表示領域３４ｂ２、および、第３表示領域３４ｂ３のうち、いずれか１つのみ、または、いずれか２つのみを備える構成でもよい。こうした構成であっても、各表示領域は、配列方向ＤＡに沿って並び、かつ、配列方向ＤＡに沿って傾斜角度θが一定の角度ずつ変わる傾斜要素を含んでいれば、上述した（１）の効果を得ることはできる。
【０１６５】
・傾斜要素はプリズム層３４が広がる平面と所定の傾斜角度θを形成する平面であるが、傾斜要素は曲面であってもよい。こうした構成では、傾斜要素としての曲面を近似した平面と、プリズム層３４が広がる平面とによって形成される角度が、各傾斜要素の傾斜角度θである。そして、曲面状の傾斜要素を有した表示領域において、傾斜要素の並ぶ方向に沿って、傾斜角度θが一定の角度ずつを変わっていればよい。こうした構成であっても、上述した（１）と同等の効果を得ることはできる。
【０１６６】
・第１表示領域３４ｂ１、および、第３表示領域３４ｂ３の各々では、各表示領域に含まれる全ての傾斜要素の一部である複数の傾斜要素において、各傾斜要素の傾斜角度θが、配列方向ＤＡに沿って一定の角度ずつ大きくなってもよい。こうした構成であっても、各表示領域の一部では、上述した（１）と同等の効果を得ることはできる。
【０１６７】
・表示体は、空気層ではなく、例えば樹脂から形成される層を界面層として有してもよい。こうした構成では、界面層が、プリズム層３４を形成する樹脂よりも屈折率の低い樹脂から形成されていればよい。
【０１６８】
・表示体は、プリズム層３４の第１プリズム面３４ａ上に位置するカバー層を有してもよい。こうした構成において、カバー層の屈折率は、プリズム層３４の屈折率よりも低いことが好ましい。これにより、プリズム層３４に対してカバー層側から光が入射するとき、カバー層とプリズム層３４との間にて臨界角が生じないため、カバー層からプリズム層３４に透過する光の光量を大きくすることができる。
【符号の説明】
【０１６９】
１０，５０…表示体、１０ａ，５０ａ…表面、１１…第１画像、１２…第２画像、１３…第３画像、１４…第４画像、２１…第１情報、２２…第２情報、３１…基材、３１ａ…第１基材面、３２，３６…印刷層、３３…接着層、３４…プリズム層、３４ａ…第１プリズム面、３４ｂ…第２プリズム面、３４ｂ１…第１表示領域、３４ｂ２…第２表示領域、３４ｂ３…第３表示領域、３４ｃ…凸部、３５…光干渉層、３５ａ…第１光干渉面、３７…空気層、４１，４２…表示領域、４１ａ，４２ａ，４３ａ，４４ａ…傾斜要素、４３…第４表示領域、４４…第５表示領域、５１…第６表示領域、５２…第７表示領域、ｂ１ｔ…第１傾斜要素、ｂ１ｔ１，ｂ２ｔ１，ｂ３ｔ１…基端部、ｂ１ｔ２，ｂ２ｔ２，ｂ３ｔ２…先端部、ｂ２１…第１部分、ｂ２２…第２部分、ｂ２ｔ…第２傾斜要素、ｂ３ｔ…第３傾斜要素、ＩＦ…界面、ＯＢ…観察者、ＲＰ…基準面。
【図１】
2018114696.tif 000003
【図２】
2018114696.tif 000004
【図３】
2018114696.tif 000005
【図４】
2018114696.tif 000006
【図５】
2018114696.tif 000007
【図６】
2018114696.tif 000008
【図７】
2018114696.tif 000009
【図８】
2018114696.tif 000010
【図９】
2018114696.tif 000011
【図１０】
2018114696.tif 000012
【図１１】
2018114696.tif 000013
【図１２】
2018114696.tif 000014
【図１３】
2018114696.tif 000015
【図１４】
2018114696.tif 000016
【図１５】
2018114696.tif 000017
【図１６】
2018114696.tif 000018
【図１７】
2018114696.tif 000019
【図１８】
2018114696.tif 000020